(57)【要約】【課題】コンテンツのメタデータのカテゴリにより関連情報を変化させて表示する。【解決手段】EPG取得部21は、コンテンツメタデータを取得し、カテゴリ識別部51は、コンテンツメタデータのカテゴリを判定し、拡張編集部52は、判定されたコンテンツメタデータのカテゴリに基づいて、コンテンツメタデータのテキストデータが再生される際、再生されたテキストデータに対して、所定の操作がなされることにより所定のリンク先の情報を表示するようにコンテンツメタデータを編集し、コンテンツ再生部29は、コンテンツの再生に同期して、コンテンツメタデータのテキストデータを再生し、表示部30は、コンテンツメタデータのテキストデータに対して、所定の操作がなされた場合、編集された内容に従って、リンク先の情報を表示する。本発明は、テレビジョン受像機に適用することができる。【選択図】図1
2008167363.tif 000002
【特許請求の範囲】
【請求項１】
コンテンツメタデータを取得するコンテンツメタデータ取得手段と、
前記コンテンツメタデータのカテゴリを判定する判定手段と、
前記判定手段により判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータを編集する編集手段と、
コンテンツの再生に同期して、前記コンテンツメタデータのテキストデータを再生する再生手段と、
前記再生手段により再生された前記コンテンツメタデータのテキストデータに対して、前記所定の操作がなされた場合、前記編集手段により編集された内容に従って、前記リンク先の情報を表示する表示手段と
を含む情報処理装置。
【請求項２】
前記編集手段は、
前記判定手段により判定されたコンテンツメタデータのカテゴリに基づいて、前記所定の操作がなされることにより、検索エンジンにアクセスし、前記コンテンツメタデータの前記テキスデータの検索結果となるホームページを表示するように前記コンテンツメタデータを編集する
請求項1に記載の情報処理装置。
【請求項３】
前記編集手段は、
前記判定手段により判定されたコンテンツメタデータのカテゴリに基づいて、前記所定の操作がなされることにより、前記テキストデータの関連商品の販売サイトにアクセスし、前記販売サイトを表示するように前記コンテンツメタデータを編集する
請求項1に記載の情報処理装置。
【請求項４】
前記編集手段は、
前記判定手段により判定されたコンテンツメタデータのカテゴリに基づいて、前記所定の操作がなされることにより、予め前記テキストデータが入力された状態で、検索エンジンにて検索するテキストデータを入力する画面を表示し、前記テキストデータの入力が完了した後、前記検索エンジンにアクセスし、前記テキストデータの検索結果となるホームページを表示するように前記コンテンツメタデータを編集する
請求項1に記載の情報処理装置。
【請求項５】
前記編集手段は、
前記判定手段により判定されたコンテンツメタデータのカテゴリに基づいて、前記テキストデータが所定アドレスである、または、前記所定アドレスが含まれている場合、前記所定の操作がなされることにより、前記所定アドレスのサーバにアクセスし、前記所定アドレスで示されるホームページを表示するように前記コンテンツメタデータを編集する
請求項1に記載の情報処理装置。
【請求項６】
前記編集手段は、
前記判定手段により判定されたコンテンツメタデータのカテゴリに基づいて、前記テキストデータが所定アドレスである、または、前記所定アドレスが含まれている場合、前記所定の操作がなされることにより、前記アドレスで示されるサーバにアクセスし、前記アドレスのホームページを表示する、または、検索エンジンにアクセスし、前記コンテンツメタデータの前記テキストデータの検索結果となるホームページを表示するかのいずれかを選択する選択画面を表示し、選択された内容のホームページを表示するように前記コンテンツメタデータを編集する
請求項1に記載の情報処理装置。
【請求項７】
コンテンツメタデータを取得するコンテンツメタデータ取得ステップと、
前記コンテンツメタデータのカテゴリを判定する判定ステップと、
前記判定ステップの処理により判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータを編集する編集ステップと、
コンテンツの再生に同期して、前記コンテンツメタデータのテキストデータを再生する再生ステップと、
前記再生ステップの処理により再生された前記コンテンツメタデータのテキストデータに対して、前記所定の操作がなされた場合、前記編集手段により編集された内容に従って、前記リンク先の情報を表示する表示ステップと
を含む情報処理方法。
【請求項８】
コンテンツメタデータを取得するコンテンツメタデータ取得ステップと、
前記コンテンツメタデータのカテゴリを判定する判定ステップと、
前記判定ステップの処理により判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータを編集する編集ステップと、
コンテンツの再生に同期して、前記コンテンツメタデータのテキストデータを再生する再生ステップと、
前記再生ステップの処理により再生された前記コンテンツメタデータのテキストデータに対して、前記所定の操作がなされた場合、前記編集手段により編集された内容に従って、前記リンク先の情報を表示する表示ステップと
を含む処理をコンピュータに実行させるプログラム。
【請求項９】
請求項8に記載のプログラムが格納されているプログラム格納媒体。
【発明の詳細な説明】
【技術分野】
【０００１】
本発明は、情報処理装置および方法、並びにプログラムに関し、特に、コンテンツのメタデータのカテゴリにより関連情報を変化させて表示できるようにした情報処理装置および方法、並びにプログラムに関する。
【背景技術】
【０００２】
EPG（Electronic Program Guide）などのコンテンツメタデータを受信して、表示する技術が一般に普及しつつある。
【０００３】
EPGは、放送波に含まれた状態で所定の時間間隔で配信され、テレビジョン受像機などで受信されて、番組とは別に、電子番組表として表示されるものである。
【０００４】
近年、EPGに含まれるテキスト情報を表示するだけでなく、インターネットを介して検索エンジンで、そのテキスト情報をキーワードとして用いることにより検索処理を行ない、検索結果を表示させる技術が提案されている（特許文献1参照）。
【０００５】
【特許文献１】特開2004-23345号公報
【発明の開示】
【発明が解決しようとする課題】
【０００６】
しかしながら、EPGに含まれるテキスト情報をキーワードとして用いた検索だけでは、関連する情報は表示することができるようになるものの、EPGのカテゴリによっては、検索したい対象が異なるものがある。すなわち、EPGで表現される項目のうち、例えば、出演者のカテゴリに含まれる人名の場合、出演者の個人の情報を知るためには、従来のようにキーワードとして検索することで得られる情報で満足が得られるかもしれない。
【０００７】
しかしながら、BGMタイトルやアーティスト名に基づいて、販売されているCD（Compact Disc）やDVD（Digital Versatile Disc）などを購入したいような場合、BGMタイトルやアーティスト名をキーワードとして検索することで、得られる情報からでは、直接BGMタイトルやアーティスト名のCDやDVDを購入することができない。
【０００８】
購入しようとすれば、CDやDVDの販売サイトに再度アクセスしなおして、販売サイトにて、再び同様のBGMタイトルやアーティスト名で検索する必要があり、面倒な処理となっていた。
【０００９】
本発明はこのような状況に鑑みてなされたものであり、特に、EPGなどのコンテンツメタデータのカテゴリに対応して検索する項目を変化させ、コンテンツメタデータをクリックするだけで、所望とする情報が得られるようにするものである。
【課題を解決するための手段】
【００１０】
本発明の情報処理装置は、コンテンツメタデータを取得するコンテンツメタデータ取得手段と、前記コンテンツメタデータのカテゴリを判定する判定手段と、前記判定手段により判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータを編集する編集手段と、コンテンツの再生に同期して、前記コンテンツメタデータのテキストデータを再生する再生手段と、前記再生手段により再生された前記コンテンツメタデータのテキストデータに対して、前記所定の操作がなされた場合、前記編集手段により編集された内容に従って、前記リンク先の情報を表示する表示手段とを含む。
【００１１】
前記編集手段には、前記判定手段により判定されたコンテンツメタデータのカテゴリに基づいて、前記所定の操作がなされることにより、検索エンジンにアクセスし、前記コンテンツメタデータの前記テキスデータの検索結果となるホームページを表示するように前記コンテンツメタデータを編集させるようにすることができる。
【００１２】
前記編集手段には、前記判定手段により判定されたコンテンツメタデータのカテゴリに基づいて、前記所定の操作がなされることにより、前記テキストデータの関連商品の販売サイトにアクセスし、前記販売サイトを表示するように前記コンテンツメタデータを編集させるようにすることができる。
【００１３】
前記編集手段には、前記判定手段により判定されたコンテンツメタデータのカテゴリに基づいて、前記所定の操作がなされることにより、予め前記テキストデータが入力された状態で、検索エンジンにて検索するテキストデータを入力する画面を表示し、前記テキストデータの入力が完了した後、前記検索エンジンにアクセスし、前記テキストデータの検索結果となるホームページを表示するように前記コンテンツメタデータを編集させるようにすることができる。
【００１４】
前記編集手段には、前記判定手段により判定されたコンテンツメタデータのカテゴリに基づいて、前記テキストデータが所定アドレスである、または、前記所定アドレスが含まれている場合、前記所定の操作がなされることにより、前記所定アドレスのサーバにアクセスし、前記所定アドレスで示されるホームページを表示するように前記コンテンツメタデータを編集させるようにすることができる。
【００１５】
前記編集手段には、前記判定手段により判定されたコンテンツメタデータのカテゴリに基づいて、前記テキストデータが所定アドレスである、または、前記所定アドレスが含まれている場合、前記所定の操作がなされることにより、前記アドレスで示されるサーバにアクセスし、前記アドレスのホームページを表示する、または、検索エンジンにアクセスし、前記コンテンツメタデータの前記テキストデータの検索結果となるホームページを表示するかのいずれかを選択する選択画面を表示し、選択された内容のホームページを表示するように前記コンテンツメタデータを編集させるようにすることができる。
【００１６】
本発明の一側面の情報処理方法は、コンテンツメタデータを取得するコンテンツメタデータ取得ステップと、前記コンテンツメタデータのカテゴリを判定する判定ステップと、前記判定ステップの処理により判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータを編集する編集ステップと、コンテンツの再生に同期して、前記コンテンツメタデータのテキストデータを再生する再生ステップと、前記再生ステップの処理により再生された前記コンテンツメタデータのテキストデータに対して、前記所定の操作がなされた場合、前記編集手段により編集された内容に従って、前記リンク先の情報を表示する表示ステップとを含む。
【００１７】
本発明の一側面のプログラムは、コンテンツメタデータを取得するコンテンツメタデータ取得ステップと、前記コンテンツメタデータのカテゴリを判定する判定ステップと、前記判定ステップの処理により判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータを編集する編集ステップと、コンテンツの再生に同期して、前記コンテンツメタデータのテキストデータを再生する再生ステップと、前記再生ステップの処理により再生された前記コンテンツメタデータのテキストデータに対して、前記所定の操作がなされた場合、前記編集手段により編集された内容に従って、前記リンク先の情報を表示する表示ステップとを含む処理をコンピュータに実行させる。
【００１８】
本発明のプログラム格納媒体には、請求項8に記載のプログラムが格納されている。
【００１９】
本発明の情報処理装置および方法、並びにプログラムにおいては、コンテンツメタデータが取得され、前記コンテンツメタデータのカテゴリが判定され、判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータが編集され、コンテンツの再生に同期して、前記コンテンツメタデータのテキストデータが再生され、再生された前記コンテンツメタデータのテキストデータに対して、前記所定の操作がなされた場合、編集された内容に従って、前記リンク先の情報が表示される。
【００２０】
本発明の情報処理装置は、独立した装置であっても良いし、情報処理を行うブロックであっても良い。
【発明の効果】
【００２１】
本発明の一側面によれば、コンテンツのメタデータのカテゴリにより関連情報を変化させて表示することが可能となる。
【発明を実施するための最良の形態】
【００２２】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２３】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２４】
すなわち、本発明の情報処理装置は、コンテンツメタデータを取得するコンテンツメタデータ取得手段（例えば、図1のEPG取得部21）と、前記コンテンツメタデータのカテゴリを判定する判定手段（例えば、図1のカテゴリ識別部51）と、前記判定手段により判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータを編集する編集手段（例えば、図1の拡張編集部52）と、コンテンツの再生に同期して、前記コンテンツメタデータのテキストデータを再生する再生手段（例えば、図1のコンテンツ再生部29）と、前記再生手段により再生された前記コンテンツメタデータのテキストデータに対して、前記所定の操作がなされた場合、前記編集手段により編集された内容に従って、前記リンク先の情報を表示する表示手段（例えば、図1の表示部30）とを含む。
【００２５】
前記編集手段（例えば、図1の拡張編集部52）には、前記判定手段により判定されたコンテンツメタデータのカテゴリに基づいて、前記所定の操作がなされることにより、検索エンジンにアクセスし、前記コンテンツメタデータの前記テキスデータの検索結果となるホームページを表示するように前記コンテンツメタデータを編集させるようにすることができる。
【００２６】
前記編集手段（例えば、図1の拡張編集部52）には、前記判定手段により判定されたコンテンツメタデータのカテゴリに基づいて、前記所定の操作がなされることにより、前記テキストデータの関連商品の販売サイトにアクセスし、前記販売サイトを表示するように前記コンテンツメタデータを編集させるようにすることができる。
【００２７】
前記編集手段（例えば、図1の拡張編集部52）には、前記判定手段により判定されたコンテンツメタデータのカテゴリに基づいて、前記所定の操作がなされることにより、予め前記テキストデータが入力された状態で、検索エンジンにて検索するテキストデータを入力する画面を表示し、前記テキストデータの入力が完了した後、前記検索エンジンにアクセスし、前記テキストデータの検索結果となるホームページを表示するように前記コンテンツメタデータを編集させるようにすることができる。
【００２８】
前記編集手段（例えば、図1の拡張編集部52）には、前記判定手段により判定されたコンテンツメタデータのカテゴリに基づいて、前記テキストデータが所定アドレスである、または、前記所定アドレスが含まれている場合、前記所定の操作がなされることにより、前記所定アドレスのサーバにアクセスし、前記所定アドレスで示されるホームページを表示するように前記コンテンツメタデータを編集させるようにすることができる。
【００２９】
前記編集手段（例えば、図1の拡張編集部52）には、前記判定手段により判定されたコンテンツメタデータのカテゴリに基づいて、前記テキストデータが所定アドレスである、または、前記所定アドレスが含まれている場合、前記所定の操作がなされることにより、前記アドレスで示されるサーバにアクセスし、前記アドレスのホームページを表示する、または、検索エンジンにアクセスし、前記コンテンツメタデータの前記テキストデータの検索結果となるホームページを表示するかのいずれかを選択する選択画面を表示し、選択された内容のホームページを表示するように前記コンテンツメタデータを編集させるようにすることができる。
【００３０】
本発明の一側面の情報処理方法は、コンテンツメタデータを取得するコンテンツメタデータ取得ステップ（例えば、図3のステップS22）と、前記コンテンツメタデータのカテゴリを判定する判定ステップ（例えば、図3のステップS63,S65,S67,S69,S71,S73,S75,S77）と、前記判定ステップの処理により判定されたコンテンツメタデータのカテゴリに基づいて、前記コンテンツメタデータのテキストデータが再生される際、再生された前記テキストデータに対して、所定の操作がなされることにより所定のリンク先の情報を表示するようにコンテンツメタデータを編集する編集ステップ（例えば、図3のステップS64,S66,S68,S70,S72,S74,S76,S78,S80）と、コンテンツの再生に同期して、前記コンテンツメタデータのテキストデータを再生する再生ステップ（例えば、図4のステップS42）と、前記再生ステップの処理により再生された前記コンテンツメタデータのテキストデータに対して、前記所定の操作がなされた場合、前記編集手段により編集された内容に従って、前記リンク先の情報を表示する表示ステップ（例えば、図7のステップS94,S96,S98,S100,S102,S104,S106,S108,S109,S111）とを含む。
【００３１】
図1は、本発明を適用した画像表示装置の一実施の形態の構成例を示している。
【００３２】
画像表示装置1は、例えば、テレビジョン受像機である。画像表示装置1は、リモートコントローラ2により操作され、図示せぬ放送局より放送波により配信されるコンテンツをアンテナ4より受信し表示すると供に、コンテンツを録画または再生する。また、画像表示装置1は、インターネットに代表されるネットワーク5を介して番組配信サーバ5より配信されるコンテンツを取得して表示すると供に、コンテンツを録画または再生表示する。
【００３３】
さらに、画像表示装置1は、放送波に含まれるEPGデータのみならず、インターネットに代表されるネットワーク6を介してEPGデータ配信サーバ3などから配信されるEPGデータなどもコンテンツメタデータとして取得する。さらに、画像表示装置1は、取得したEPGなどのコンテンツメタデータを拡張するように編集して表示すると供に、リモートコントローラ2などにより表示されたコンテンツメタデータが選択されると、対応する処理を実行し、例えば、ネットワーク6を介して検索エンジンサーバ7にアクセスし、選択されたコンテンツメタデータの関連情報を取得して表示する。
【００３４】
EPG取得部21は、アンテナ4より図示せぬ放送局より放送波に含まれて配信されるEPGを取得し、コンテンツメタデータとしてコンテンツメタデータ蓄積部22に蓄積させる。また、EPG取得部21は、モデムなどからなる通信部24を制御して、ネットワーク6を介してEPGデータ配信サーバ3にアクセスして、EPGデータを取得して、コンテンツメタデータとしてコンテンツメタデータ蓄積部22に蓄積させる。尚、コンテンツメタデータは、コンテンツに関する情報が記述されたテキストデータであり、例えば、コンテンツがTV（テレビジョン）番組の場合、番組のタイトル、録画日時、放送時間、その番組のチャンネル（チャンネルは放送波の場合、放送局であり、ネット配信の場合、配信元の会社などである）、ジャンルまたはサブジャンル、および出演者などであり、コンテンツがCM（コマーシャルメッセージ）の場合、商品名、タイトル、広告主、BGMタイトル、アーティスト、および出演者などである。
【００３５】
コンテンツ録画部25は、リモートコントローラ2により制御され、チューナ23を所定のチャンネルに調整して、図示せぬ放送局より配信されて放送波として配信されるコンテンツをアンテナ4を介して受信し、コンテンツデータ111として、例えば、HDD（Hard Disk Drive）などからなるコンテンツデータ記憶部26に蓄積させる。また、コンテンツ録画部25は、通信部24を制御して、番組配信サーバ5よりネットワーク6を介して配信されるコンテンツをコンテンツデータ111としてコンテンツデータ記憶部26に蓄積させる。
【００３６】
コンテンツ録画部25は、コンテンツを録画する際、シーン変更検出部101を制御して、各フレーム単位でシーンが変化するタイミングを検出し、検出結果をフィルムロールデータ作成部102に供給する。フィルムロールデータ作成部102は、シーン変更のタイミングと対応するコンテンツデータにおけるフレーム番号の情報をフィルムロールデータ112に記録し、フィルムロールデータ112をコンテンツデータ111に対応付けてコンテンツデータ記憶部26に格納する。画像録画部103は、コンテンツ録画部25がコンテンツとして取得した情報をコンテンツデータとしてコンテンツデータ記憶部26に格納させる。
【００３７】
従って、コンテンツデータ記憶部26には、コンテンツデータ111-1乃至111-nが格納され、対応してフィルムロールデータ112-1乃至112-nが格納される。尚、フィルムロールデータ112については、詳細を後述する。また、コンテンツデータ111-1乃至111-nおよびフィルムロールデータ112-1乃至112-nは、それぞれ区別する必要がない場合、単に、コンテンツデータ111およびフィルムロールデータ112と称するものとし、その他についても同様に称するものとする。
【００３８】
コンテンツメタデータ拡張編集部27は、コンテンツデータ記憶部26におけるいずれかのコンテンツデータ111の再生が開始されると、対応するコンテンツメタデータ（EPGデータ）をコンテンツメタデータ蓄積部22より読み出して拡張編集し、拡張コンテンツメタデータ蓄積部28に蓄積する。より具体的には、コンテンツメタデータ拡張編集部27は、テキストデータからなるコンテンツメタデータをXML（Extensible Markup Language）などの言語により、テキストデータとしての表現のみならず、拡張して使用可能な機能を付加したデータに編集する。そして、編集されたデータが用いられて、後述する関連情報表示部214として図4、図8、図9で示されるように表示される。
【００３９】
コンテンツメタデータ拡張編集部27のカテゴリ識別部51は、コンテンツメタデータ蓄積部22より読み出されたオリジナルのコンテンツメタデータの記述内容から、それぞれカテゴリを識別し、識別結果を拡張編集部52に供給する。また、同一情報判定部51aは、カテゴリを識別する際、同一の情報が複数に存在するか否か、すなわち、例えば、CM（コマーシャルメッセージ）コンテンツにおける商品名と広告主のカテゴリで、テキストデータは異なるが同一のURL（Uniform Resource Locator）が含まれているか否かを判定し、判定結果を広告主編集部82に供給する。
【００４０】
拡張編集部52のTV（テレビジョン番組）コンテンツ編集部61は、コンテンツメタデータのうち、TVコンテンツのコンテンツメタデータを拡張編集する。
【００４１】
TVコンテンツ編集部61の番組タイトル編集部71は、TVコンテンツのコンテンツメタデータのうち、番組タイトル名のカテゴリに属するコンテンツメタデータのテキストデータが表示され、さらに選択された場合、そのテキストデータをキーワードとして検索エンジンサーバ7で検索させ、その検索結果となるHP（ホームページ）を表示するように拡張して編集する。
【００４２】
TVコンテンツ編集部61のチャンネル編集部72は、TVコンテンツのコンテンツメタデータのうち、チャンネル名のカテゴリに属するコンテンツメタデータのテキストデータが表示され、さらに選択された場合、そのテキストデータをキーワードとして検索エンジンサーバ7で検索させ、その検索結果となるHPを表示するように拡張して編集する。
【００４３】
TVコンテンツ編集部61の出演者編集部73は、TVコンテンツのコンテンツメタデータのうち、出演者名のカテゴリに属するコンテンツメタデータのテキストデータが表示され、さらに選択された場合、そのテキストデータをキーワードとして検索エンジンサーバ7で検索させ、その検索結果となるHPを表示するように拡張して編集する。
【００４４】
拡張編集部52のCM（コマーシャルメッセージ）コンテンツ編集部62は、コンテンツメタデータのうち、CMコンテンツのコンテンツメタデータを拡張編集する。
【００４５】
CMコンテンツ編集部62の商品名編集部81は、CMコンテンツのコンテンツメタデータのうち、商品名のカテゴリに属するコンテンツメタデータのテキストデータが表示され、選択された場合、商品名の説明などが表示されるURLで特定されるアドレスのHPを表示するように拡張して編集する。尚、この例においては、商品名のカテゴリに属するコンテンツメタデータは、URLであるものとするが、URLに限るものではなく、それ以外の情報であってもよい。
【００４６】
CMコンテンツ編集部62の広告主編集部82は、CMコンテンツのコンテンツメタデータのうち、広告主のカテゴリに属するコンテンツメタデータのテキストデータが表示され、選択された場合、広告主の説明などが表示されるURLで特定されるアドレスのHP（ホームページ）を表示するように拡張して編集する。尚、ここでは、広告主のカテゴリに属するコンテンツメタデータは、URLであるものとするが、URLに限るものではなく、それ以外の情報であってもよい。
【００４７】
ただし、上述した同一情報判定部51aより商品名と広告主のカテゴリに相当する情報が、テキストデータのみならず、含まれているURLなども同一であることが通知された場合、広告主編集部82は、CMコンテンツのコンテンツメタデータのうち、広告主のカテゴリに属するコンテンツメタデータのテキストデータが表示され、選択された場合、そのテキストデータをキーワードとして検索エンジンサーバ7で検索させ、その検索結果となるHPを表示するように拡張して編集し、商品名のカテゴリのテキストデータが表示され、選択された場合と異なる情報を提供するようにする。これは、異なる情報を選択したのにもかかわらず、同一の情報が提供されてしまうことを避けているだけなので、広告主編集部82の代わりに、商品名編集部81によりCMコンテンツのコンテンツメタデータのうち、商品名のカテゴリに属するコンテンツメタデータのテキストデータが表示され、選択された場合、そのテキストデータをキーワードとして検索エンジンサーバ7で検索させ、その検索結果となるHPを表示するように拡張して編集するようにしてもよい。
【００４８】
CMコンテンツ編集部62のBGMタイトル編集部83は、CMコンテンツのコンテンツメタデータのうち、BGMタイトル名のカテゴリに属するコンテンツメタデータのテキストデータが表示され、選択された場合、そのテキストデータをキーワードとして検索エンジンサーバ7で検索させ、その検索結果となるHP（ホームページ）を表示するように拡張して編集する。
【００４９】
CMコンテンツ編集部62のアーティスト編集部84は、CMコンテンツのコンテンツメタデータのうちアーティスト名のカテゴリに属するコンテンツメタデータのテキストデータが表示され、選択された場合、そのアーティストにより販売されているCDやDVDなどを販売している物販サイト（販売サイト）のHPを表示させるか、または、そのテキストデータをキーワードとして検索エンジンサーバ7で検索させ、その検索結果となるHP（ホームページ）を表示するかを選択できる画面を表示し、さらに、選択されたHPを表示するように拡張して編集する。このとき、選択表示編集部63は、ここで用いられる選択画面を表示させる情報を拡張するコンテンツメタデータとして生成する。
【００５０】
CMコンテンツ編集部62の出演者編集部85は、CMコンテンツのコンテンツメタデータのうち、出演者のカテゴリに属するコンテンツメタデータのテキストデータが表示され、選択された場合、そのテキストデータをキーワードとして検索エンジンサーバ7で検索させ、その検索結果となるHP（ホームページ）を表示するように拡張して編集する。
【００５１】
コンテンツ再生部29は、リモートコントローラ2の操作部2bが操作されて所定の録画データが選択されて、再生が指示されたことを示す発光部2aによる発光信号を受光部33が受光すると、画像再生部131を制御して、該当するコンテンツデータ111をコンテンツデータ記憶部26より読み出して再生し、CRT（Cathode Ray Tube）やLCD（Liquid Crystal Display）などからなる表示部30に表示させる。また、コンテンツ再生部29は、フィルムロール再生部132を制御して、コンテンツデータ111に対応するフィルムロールデータ112を読み出させ、コンテンツデータ111が画像再生部131に順次再生されるタイミングに同期して、フィルムロールデータ112に記録されているタイムコードに対応するシーン変更直後の画像のサムネイル画像をフィルムロールのように表示部30に表示する。
【００５２】
拡張コンテンツメタデータ再生部133は、拡張コンテンツメタデータ蓄積部28より拡張コンテンツメタデータを読み出し、再生されるコンテンツデータ111に同期して表示部30に表示する。
【００５３】
リンク指示検出部32は、リモートコントローラ2より供給されてくる発光信号が受光部33により受光される信号に基づいて、コンテンツメタデータとして表示されているいずれかのテキストがクリックされるなどしたか否かを検出し、検出結果に対応する拡張コンテンツメタデータの情報をリンク表示制御部34に供給する。
【００５４】
リンク表示制御部34は、リンク指示検出部32より供給されてくる拡張コンテンツメタデータに基づいて、ブラウザ制御部141を制御して、ブラウザ31を動作させる。ブラウザ31は、ブラウザ制御部141により制御されて、必要に応じて通信部24を制御して、ネットワーク6を介して検索エンジンサーバ7にアクセスし、キーワードによる検索処理を実行させて検索結果であるHPを表示部30に表示させる。また、ブラウザ31は、ブラウザ制御部141により制御されて、必要に応じて通信部24を制御して、ネットワーク6を介してURLで特定される図示せぬサーバや、所定の物販サイトなどにアクセスし、そのHPを表示部30に表示させる。選択表示制御部142は、拡張コンテンツメタデータによる処理結果が複数であって、それらのいずれかを選択させる場合、いずれかを選択するための選択画面を表示部30に表示させる。
【００５５】
次に、図2のフローチャートを参照して、コンテンツ録画処理について説明する。
【００５６】
ステップS1において、コンテンツ録画部25は、受光部33より得られる信号から録画が指示されたか否かを判定し、録画が指示されるまで、その処理を繰り返す。ステップS1において、例えば、ユーザによりコンテンツ録画を指示するために操作部2bが操作されると、発光部2aは、対応する信号を発光信号として発する。このとき、受光部33は、リモートコントローラ2の発光部2aの発光信号を受光し、受光信号に対応する録画の開始を指示する信号をコンテンツ録画部25に供給する。これに応じて、コンテンツ録画部25は、コンテンツの録画が指示されたと判定し、処理は、ステップS2に進む。
【００５７】
ステップS2において、コンテンツ録画部25は、チューナ23を制御してチャンネルを設定し、所定のチャンネルでアンテナ4により受信される放送波のコンテンツを取得する。また、コンテンツは、放送波により配信されるものに限られず、例えば、コンテンツ録画部25は、通信部24を制御して、ネットワーク6を介して、所定の番組配信サーバ5にアクセスさせて、番組配信サーバ5により、いわゆるネット配信されるコンテンツを取得する。
【００５８】
ステップS3において、コンテンツ録画部25は、画像録画部103を制御して、コンテンツの画像データ（音声データを含む）をコンテンツデータ111としてコンテンツデータ記憶部26に録画させる。
【００５９】
ステップS4において、コンテンツ録画部25は、シーン変更検出部101を制御して、取得した画像データにおけるフレーム単位でシーン変更があるか否かを検出させ、シーンの変更があったか否かを判定する。具体的には、シーン変更検出部101は、例えば、隣接するフレーム間の同一位置の画素間の画素値の差分値の加算結果が、大きく変化した場合、シーンの変更を検出する。
【００６０】
ステップS4において、シーン変更が検出された場合、ステップS5において、フィルムロールデータ作成部102は、シーン変更が検出された直後のフレームの画像をサムネイル画像に変換して再生時のタイムコードと供にフィルムロールデータ112に登録して更新し、コンテンツデータ記憶部26に格納させる。すなわち、フィルムロールデータ112には、シーン変更が検出されたタイミングにおける画像のサムネイル画像がタイムコードと供に順次蓄積されていく。
【００６１】
ステップS6において、コンテンツ録画部25は、録画の終了が指示されたか、または、コンテンツの配信が終了したか否かを判定し、終了の指示がなく、コンテンツの配信が継続されている場合、処理は、ステップS2に戻る。すなわち、コンテンツの録画が指示されたタイミングから、録画の終了が指示されるか、または、コンテンツの配信が終了するまで、ステップS2乃至S6の処理が繰り返される。そして、ステップS6において、録画の終了が指示されたか、または、コンテンツの配信が終了した場合、処理は、終了する。
【００６２】
以上の処理により、コンテンツデータ記憶部26には、録画が指示されたコンテンツのコンテンツデータ111およびフィルムロールデータ112が蓄積される。
【００６３】
次に、図3のフローチャートを参照して、コンテンツメタデータ蓄積処理について説明する。
【００６４】
ステップS21において、EPG取得部21は、例えば、24時間程度の所定の期間が経過したか否かを判定し、所定の期間が経過するまで、同様の処理を繰り返す。
【００６５】
ステップS21において、例えば、所定の期間が経過したと判定された場合、ステップS22において、EPG取得部21は、アンテナ4を介して受信される、図示せぬ放送局から放送波に含まれた状態で配信されるEPGデータを取得し、コンテンツメタデータとしてコンテンツメタデータ蓄積部22に蓄積させる。
【００６６】
ステップS23において、EPG取得部21は、通信部24を制御して、ネットワーク6を介してEPGデータ配信サーバ3よりEPGデータを取得し、コンテンツメタデータとしてコンテンツメタデータ蓄積部22に蓄積させる。
【００６７】
以上の処理により、放送波により配信されるEPGデータおよびネットワーク6を介して配信されるEPGデータがコンテンツメタデータとしてコンテンツメタデータ蓄積部22に蓄積される。尚、基本的に、放送波により配信されるEPGデータと、ネットワーク6を介して配信されるEPGデータとは、いずれかが取得できればよいので、図3のフローチャートの処理においては、ステップS22,S23のいずれか片方の処理がなされるものであってもよい。
【００６８】
次に、図4のフローチャートを参照して、コンテンツ再生処理について説明する。
【００６９】
ステップS41において、コンテンツ再生部29は、受光部33より得られる信号からコンテンツの再生が指示されたか否かを判定し、再生が指示されるまで、その処理を繰り返す。ステップS41において、例えば、ユーザによりコンテンツの再生を指示するために操作部2bが操作されると、発光部2aは、対応する信号を発光信号として発する。このとき、受光部33は、リモートコントローラ2の発光部2aの発光信号を受光し、受光信号に対応するコンテンツの再生開始を指示する信号をコンテンツ再生部29に供給する。これに応じて、コンテンツ再生部29は、コンテンツの再生が指示されたと判定し、処理は、ステップS42に進む。
【００７０】
ステップS42において、コンテンツ再生部29は、画像再生部131を制御して、再生が指示されたコンテンツに対応するコンテンツデータ111を読み出させ、表示部30に、例えば、図5の画像表示部検索エンジンサーバ7として表示させる。図5においては、ウィンドウ201が表示されており、そのウィンドウ201内に画像表示部211、フィルムロール表示部212、プレイリスト表示部213、および関連情報表示部214が設けられている。
【００７１】
画像再生部131は、画像表示部211にコンテンツデータ111により記録されているコンテンツの画像を再生させる。尚、この際、コンテンツ再生部29は、プレイリスト表示欄213に今現在再生しているコンテンツデータ111のコンテンツ名を表示する。図5において、プレイリスト表示欄213には、再生されているコンテンツ名として「ZZZ」が表示されており、再生時間として「00:59:57」が表示されている。
【００７２】
ステップS43において、フィルムロール再生部132は、再生しているコンテンツのコンテンツデータ111に対応するフィルムロールデータ112を読み出し、対応するフィルムロール表示部212にフィルムロール画面を表示する。
【００７３】
ステップS44において、フィルムロール再生部132は、フィルムロールデータ112に基づいて、現在の再生時刻がシーン変更後の画像のサムネイル画像を表示させるタイミングであるか否かを判定し、サムネイル画像を再生するタイミングであるとき、ステップS45において、フィルムロール表示部212上のフィルムロール画面221に表示させる。尚、サムネイル画像を再生させるタイミングではない場合、ステップS45の処理は、スキップされる。
【００７４】
すなわち、図5で示されるように、フィルムロール表示部212には、中央上部にフィルムロール画面221が表示され、再生される画像のタイムコードの変化と同期して、図中の右から左方向にシーン変更時のサムネイル画像231-1乃至231-3が移動しながら表示される。図5においては、フィルムロール画面221上に再生時のタイムコードとして「0:18:33」および「0:18:36」が表示されており、その表示時刻の下のタイミングがタイムコードに対応する録画データの再生位置であることが示されており、現在の再生位置がフィルムロール画面221の中央の垂直直線で示される位置である。従って、フィルムロール画面221上では、シーン変更画像のサムネイル画像は、画像表示部211で表示される直前のタイミングで図中の右端に表示され、画像表示部211で再生される画像が進行するに従って左方向に移動し、中央の垂直直線位置に異動してきたタイミングで、サムネイル画像に加工された画像と同一の画像が画像表示部211で表示され、その後、左端の方に進み、やがてフィルムロール画面221上から左端に消えていくように表示されることになる。
【００７５】
尚、このフィルムロール画面221は、ポインタなどによりドラッグさせることで、画像表示部211で再生されるコンテンツデータ111の進行とは独立してスクロールさせることが可能である。このとき、「現在地」と表示されたボタン222が操作されると、フィルムロール画面221が今現在の再生位置に戻される。また、図中の左下部に示される各種の操作ボタン223により再生開始、一時停止、停止、早送り早戻し、順方向ジャンプ、および逆方向ジャンプを指定して操作することができる。さらに、フィルムロール画面221上のサムネイル画像231が指定されると、対応するタイムコードの再生位置にジャンプして再生が開始される。
【００７６】
ステップS46において、コンテンツメタデータ拡張編集部27は、コンテンツメタデータ編集処理を実行し、コンテンツメタデータを拡張編集して、拡張コンテンツメタデータ蓄積部28に蓄積させる。
【００７７】
ここで、図6のフローチャートを参照して、コンテンツメタデータ編集処理について説明する。
【００７８】
ステップS61において、コンテンツメタデータ拡張編集部27は、今現在再生中のコンテンツに対応するコンテンツメタデータをコンテンツメタデータ蓄積部22より読み出す。
【００７９】
ステップS62において、カテゴリ識別部51は、今現在再生されているコンテンツがTV（テレビジョン）コンテンツであるか、すなわち、いわゆる番組を構成するコンテンツであるか否かを判定する。
【００８０】
ステップS62において、例えば、TVコンテンツであると判定された場合、ステップS63において、カテゴリ識別部51は、読み出したコンテンツメタデータより、番組タイトルのカテゴリに属するコンテンツメタデータが存在するか否かを判定する。ステップS63において、番組タイトルのカテゴリに属するコンテンツメタデータが存在したと判定された場合、ステップS64において、カテゴリ識別部51は、番組タイトルのカテゴリに属するコンテンツメタデータを読み出し、TVコンテンツ編集部61に供給する。TVコンテンツ編集部61は、番組タイトル編集部71を制御して、番組タイトルの情報について、例えば、ポインタなどによりクリックされるなどして、選択された場合、番組タイトルのカテゴリに属するコンテンツメタデータのテキストデータをキーワードとして検索エンジンサーバ7で検索させ、検索結果となるHPを表示するように、コンテンツメタデータの記述を編集し、拡張コンテンツメタデータ蓄積部28に蓄積させる。
【００８１】
尚、ステップS63において、番組タイトルのカテゴリに属するコンテンツメタデータが存在しないと判定された場合、ステップS64の処理は、スキップされる。
【００８２】
ステップS65において、カテゴリ識別部51は、読み出したコンテンツメタデータより、チャンネルのカテゴリに属するコンテンツメタデータが存在するか否かを判定する。ステップS65において、チャンネルのカテゴリに属するコンテンツメタデータが存在したと判定された場合、ステップS66において、カテゴリ識別部51は、チャンネルのカテゴリに属するコンテンツメタデータを読み出し、TVコンテンツ編集部61に供給する。TVコンテンツ編集部61は、チャンネル編集部72を制御して、チャンネルの情報について、例えば、ポインタなどによりクリックされるなどして、選択された場合、チャンネルのカテゴリに属するコンテンツメタデータのテキストデータをキーワードとして検索エンジンサーバ7で検索させ、検索結果となるHPを表示するように、コンテンツメタデータの記述を編集し、拡張コンテンツメタデータ蓄積部28に蓄積させる。
【００８３】
尚、コンテンツメタデータとして、チャンネルのカテゴリに属するテキストデータが、チャンネルの放送局のURLなどを表現しているような場合、TVコンテンツ編集部61は、チャンネル編集部72を制御して、そのURLにアクセスし、そのチャンネルの放送局のHPを表示するようにコンテンツメタデータとするように編集させるようにしてもよい。
【００８４】
ステップS65において、チャンネルのカテゴリに属するコンテンツメタデータが存在しないと判定された場合、ステップS66の処理は、スキップされる。
【００８５】
ステップS67において、カテゴリ識別部51は、読み出したコンテンツメタデータより、出演者のカテゴリに属するコンテンツメタデータが存在するか否かを判定する。ステップS67において、出演者のカテゴリに属するコンテンツメタデータが存在したと判定された場合、ステップS68において、カテゴリ識別部51は、出演者のカテゴリに属するコンテンツメタデータを読み出し、TVコンテンツ編集部61に供給する。TVコンテンツ編集部61は、出演者編集部73を制御して、出演者の情報について、例えば、ポインタなどによりクリックされるなどして、選択された場合、チャンネルのカテゴリに属するコンテンツメタデータのテキストデータをキーワードとして検索エンジンサーバ7で検索させ、検索結果となるHPを表示するように、コンテンツメタデータの記述を編集し、拡張コンテンツメタデータ蓄積部28に蓄積させる。
【００８６】
ステップS67において、出演者のカテゴリに属するコンテンツメタデータが存在しないと判定された場合、ステップS68の処理は、スキップされる。
【００８７】
一方、ステップS62において、例えば、TVコンテンツではないと判定された場合、すなわち、CMコンテンツであると判定された場合、ステップS69において、カテゴリ識別部51は、読み出したコンテンツメタデータより、商品名のカテゴリに属するコンテンツメタデータが存在するか否かを判定する。ステップS69において、商品名のカテゴリに属するコンテンツメタデータが存在したと判定された場合、ステップS70において、カテゴリ識別部51は、商品名のカテゴリに属するコンテンツメタデータを読み出し、CMコンテンツ編集部62に供給する。CMコンテンツ編集部62は、商品名編集部81を制御して、商品名の情報について、例えば、ポインタなどによりクリックされるなどして、選択された場合、商品名のカテゴリに属するコンテンツメタデータのテキストデータとして供給されてきているURLに基づいて対応するサーバにアクセスし、商品を紹介するHPを表示するように、コンテンツメタデータの記述を編集し、拡張コンテンツメタデータ蓄積部28に蓄積させる。
【００８８】
ステップS69において、商品名のカテゴリに属するコンテンツメタデータが存在しないと判定された場合、ステップS70の処理は、スキップされる。
【００８９】
ステップS71において、カテゴリ識別部51は、読み出したコンテンツメタデータより、広告主のカテゴリに属するコンテンツメタデータが存在するか否かを判定する。ステップS71において、広告主のカテゴリに属するコンテンツメタデータが存在したと判定された場合、ステップS72において、カテゴリ識別部51は、広告主のカテゴリに属するコンテンツメタデータを読み出し、CMコンテンツ編集部62に供給する。CMコンテンツ編集部62は、広告主編集部82を制御して、広告主の情報について、例えば、ポインタなどによりクリックされるなどして、選択された場合、広告主のカテゴリに属するコンテンツメタデータのテキストデータとして供給されてきているURLに基づいて対応するサーバにアクセスし、広告主となる会社などを紹介するHPを表示するように、コンテンツメタデータの記述を編集し、拡張コンテンツメタデータ蓄積部28に蓄積させる。
【００９０】
ステップS71において、商品名のカテゴリに属するコンテンツメタデータが存在しないと判定された場合、ステップS72の処理は、スキップされる。
【００９１】
ステップS73において、カテゴリ識別部51は、読み出したコンテンツメタデータより、BGMタイトルのカテゴリに属するコンテンツメタデータが存在するか否かを判定する。ステップS73において、BGMタイトルのカテゴリに属するコンテンツメタデータが存在したと判定された場合、ステップS74において、カテゴリ識別部51は、BGMタイトルのカテゴリに属するコンテンツメタデータを読み出し、CMコンテンツ編集部62に供給する。CMコンテンツ編集部62は、BGMタイトル編集部83を制御して、BGMタイトルの情報について、例えば、ポインタなどによりクリックされるなどして、選択された場合、BGMタイトルのカテゴリに属するコンテンツメタデータのテキストデータをキーワードとして検索エンジンサーバ7で検索させ、検索結果となるHPを表示するように、コンテンツメタデータの記述を編集し、拡張コンテンツメタデータ蓄積部28に蓄積させる。
【００９２】
ステップS73において、BGMタイトルのカテゴリに属するコンテンツメタデータが存在しないと判定された場合、ステップS74の処理は、スキップされる。
【００９３】
ステップS75において、カテゴリ識別部51は、読み出したコンテンツメタデータより、アーティストのカテゴリに属するコンテンツメタデータが存在するか否かを判定する。ステップS75において、アーティストのカテゴリに属するコンテンツメタデータが存在したと判定された場合、ステップS76において、カテゴリ識別部51は、アーティストのカテゴリに属するコンテンツメタデータを読み出し、CMコンテンツ編集部62に供給する。CMコンテンツ編集部62は、アーティスト編集部84を制御して、アーティストの情報について、例えば、ポインタなどによりクリックされるなどして、選択された場合、そのアーティストのCD、若しくはDVDなどを販売する物販サイトにアクセスして、該当するHPを表示するか、または、アーティストのカテゴリに属するコンテンツメタデータのテキストデータをキーワードとして検索エンジンサーバ7で検索させ、検索結果となるHPの何れかを選択する選択画面を表示するかの何れかを選択する画面を表示させ、この選択画面上で選択されたHPを表示するように、コンテンツメタデータの記述を編集する。この際、選択表示編集部63が、上述した選択画面を生成し、アーティスト編集部84が、生成された選択画面を表示するようにコンテンツメタデータの記述を編集し、拡張コンテンツメタデータ蓄積部28に蓄積させる。
【００９４】
ステップS75において、BGMタイトルのカテゴリに属するコンテンツメタデータが存在しないと判定された場合、ステップS76の処理は、スキップされる。
【００９５】
ステップS77において、カテゴリ識別部51は、読み出したコンテンツメタデータより、出演者のカテゴリに属するコンテンツメタデータが存在するか否かを判定する。ステップS77において、出演者のカテゴリに属するコンテンツメタデータが存在したと判定された場合、ステップS78において、カテゴリ識別部51は、出演者のカテゴリに属するコンテンツメタデータを読み出し、CMコンテンツ編集部62に供給する。CMコンテンツ編集部62は、出演者編集部85を制御して、出演者の情報について、例えば、ポインタなどによりクリックされるなどして、選択された場合、出演者のカテゴリに属するコンテンツメタデータのテキストデータが予め入力された状態で、キーワード入力できる画面を表示し、キーワード入力が決定されると、決定されたキーワードを検索エンジンサーバ7で検索させ、検索結果となるHPを表示するように、コンテンツメタデータの記述を編集し、拡張コンテンツメタデータ蓄積部28に蓄積させる。
【００９６】
ステップS77において、出演者のカテゴリに属するコンテンツメタデータが存在しないと判定された場合、ステップS78の処理は、スキップされる。
【００９７】
ステップS79において、カテゴリ識別部51は、同一情報判定部51aを制御して、選択された場合、同一のURLを表示させてしまうようなコンテンツメタデータが存在するか否かを判定させる。ステップS79において、例えば、商品名のURLと広告主のURLが同一であったような場合、同一のURLを表示させてしまうことがあるとみなされ、ステップS80において、カテゴリ識別部51は、商品名のURLと広告主のURLが同一のURLであることを、CMコンテンツ編集部62に供給する。CMコンテンツ編集部62は、広告主編集部82を制御して、広告主の情報について、例えば、ポインタなどによりクリックされるなどして、選択された場合、広告主のカテゴリに属するコンテンツメタデータのテキストデータをキーワードとして検索エンジンサーバ7で検索させ、検索結果となるHPを表示するように、コンテンツメタデータの記述を編集し直し、拡張コンテンツメタデータ蓄積部28に蓄積させる。すなわち、URLが表示されるのは、商品名か広告主の情報であるので、広告主の情報についてはURLをそのまま表示するのではなく、テキストデータをキーワードとした検索結果のHPを表示させるようにすることで、選択された場合に、同一の情報が表示されないようにすることが可能となる。
【００９８】
ステップS79において、同一のURLを表示させてしまうようなコンテンツメタデータが存在しないと判定された場合、ステップS80の処理は、スキップされる。
【００９９】
ステップS81において、拡張編集部52は、拡張しないその他のコンテンツメタデータをそのまま拡張コンテンツメタデータ蓄積部28に蓄積させる。すなわち、コンテンツがTV（テレビジョン）番組の場合、録画日時、放送時間、およびジャンルまたはサブジャンルなどであり、コンテンツがCM（コマーシャルメッセージ）の場合、ここでは、タイトルなどのコンテンツメタデータは、特に拡張させないので、そのまま拡張コンテンツメタデータ蓄積部28に蓄積される。
【０１００】
以上の処理により、再生中のコンテンツのコンテンツメタデータは、単純なテキストデータから、拡張されたコンテンツメタデータに変換されることにより、選択された際に、コンテンツメタデータを単にテキストデータとして表示するだけではなく、カテゴリ毎に対応する拡張された関連情報を表示することが可能となる。
【０１０１】
ここで、図4のフローチャートの説明に戻る。
【０１０２】
ステップS47において、拡張コンテンツメタデータ再生部133は、拡張コンテンツメタデータ蓄積部28にアクセスし、表示するコンテンツメタデータが存在するか否かを判定する。例えば、上述のステップS46の処理により、拡張されたコンテンツメタデータが拡張コンテンツメタデータ蓄積部28に蓄積されていた場合、表示するコンテンツメタデータが存在するとみなされ、ステップS48において、拡張コンテンツメタデータ再生部133は、拡張コンテンツメタデータ蓄積部28に蓄積されている拡張されたコンテンツメタデータを読み出して、例えば、図5の関連情報表示部214で示されるように表示部30に表示する。
【０１０３】
図5においては、関連情報表示部214には、CMコンテンツのコンテンツメタデータが表示されており、最上段に商品名のカテゴリとなるコンテンツメタデータとして「淡々ラベル(生)」と表示されており、今現在再生しているCMコンテンツで紹介されている商品名が「淡々ラベル(生)」であることが示されている。
【０１０４】
また、商品名の下には、タイトルのカテゴリとなるコンテンツメタデータとして「淡々ラベル(生)ピクニックダヨ篇」と表示されており、このCMコンテンツのタイトルが、「淡々ラベル(生)ピクニックダヨ篇」であることが示されている。
【０１０５】
さらに、タイトルの下には、広告主のカテゴリとなるコンテンツメタデータとして「カリンビール」と表示されており、このCMコンテンツの広告主が「カリンビール」であることが示されている。
【０１０６】
また、広告主の下には、BGMタイトルのカテゴリとなるコンテンツメタデータとして「オープニング・マーチ」と表示されており、このCMコンテンツのBGMとして流れている楽曲が「オープニング・マーチ」であることが示されている。
【０１０７】
さらに、BGMタイトルの下には、アーティストのカテゴリとなるコンテンツメタデータとして「XXX（作曲）」が表示されており、このCMコンテンツのBGMの作曲者が「XXX」であることが示されている。
【０１０８】
また、アーティストの下には、出演者のカテゴリとなるコンテンツメタデータとして「ABC」、「DEF」、および「GHI」が表示されており、このCMコンテンツの出演者が「ABC」、「DEF」、および「GHI」であることが示されている。
【０１０９】
これらの関連情報は、コンテンツメタデータのテキストデータが、表示されているのみであるが、上述した拡張コンテンツメタデータにより、上述した商品名である「淡々ラベル(生)」、広告主である「カリンビール」、BGMタイトルである「オープニング・マーチ」、アーティストである「XXX」、並びに出演者の「ABC」、「DEF」、および「GHI」が表示された位置にポインタが移動されて、クリックされるなどされて、選択されると、後述するリンク表示処理により、上述した拡張されたリンク表示処理がなされることになる。
【０１１０】
ステップS47において、拡張コンテンツメタデータ蓄積部28にコンテンツメタデータが存在しないと判定された場合、ステップS47の処理がスキップされる。
【０１１１】
ステップS49において、コンテンツ再生部29は、コンテンツの再生停止が指示されたか否かを判定し、再生停止が指示されていないと判定された場合、処理は、ステップS42に戻る。すなわち、再生が継続されている限り、ステップS42乃至S49の処理が繰り返されることになる。
【０１１２】
そして、ステップS49において、再生停止が指示されていると判定された場合、処理が終了する。
【０１１３】
以上の処理により、録画されたコンテンツの再生が開始されると、図5で示されるように、画像表示部211、フィルムロール表示部212、プレイリスト表示部213、および関連情報表示部214を含むウィンドウ201で示されるような画像が表示され続ける。
【０１１４】
次に、図7のフローチャートを参照して、リンク表示処理について説明する。
【０１１５】
ステップS91において、リンク指示検出部32は、コンテンツ再生部29に問合せて、今現在、いずれかのコンテンツデータ111が読み出されて、コンテンツ再生されているか否かを判定し、再生している状態となるまで、その処理を繰り返す。ステップS91において、例えば、上述した図4を参照して説明した処理により、コンテンツが再生されている場合、処理は、ステップS92に進む。
【０１１６】
ステップS92において、リンク指示検出部32は、コンテンツ再生部29に問合せて、今現在再生されているコンテンツがTVコンテンツであるか否かを判定し、例えば、TVコンテンツであった場合、処理は、ステップS93に進む。
【０１１７】
ステップS93において、リンク指示検出部32は、受光部33からの信号に基づいて、番組タイトルの情報が選択されたか否かを判定する。例えば、関連情報表示部214が、図8で示されるように、表示されていた場合、最上段の「AAA」が表示されている領域が、リモートコントローラ2の操作部2bにより操作されてクリックされるなどして選択されたとき、リンク指示検出部32は、番組タイトルの情報が選択されたとみなし、処理は、ステップS94に進む。
【０１１８】
ステップS94において、リンク指示検出部32は、選択された領域の番組タイトルに対応する拡張コンテンツメタデータをコンテンツ再生部29より読み出し、リンク表示制御部34に供給する。リンク表示制御部34のブラウザ制御部141は、ブラウザ31を起動させ、通信部24を制御して、ネットワーク6を介して検索エンジンサーバ7にアクセスさせ、供給されてきた拡張コンテンツメタデータの番組タイトルのカテゴリに属するテキストデータ「AAA」をキーワードとして検索させ、検索結果となるHPを表示部30のウィンドウ201とは異なる図示せぬ別のウィンドウに表示させる。
【０１１９】
尚、図8においては、最上段に番組タイトルとして「AAA」が表示されており、番組タイトルが「AAA」であることが示されている。また、番組タイトルの下には、チャンネルとして「XCH BBBテレビ」であることが表示されており、再生中のコンテンツは、XチャンネルのBBBテレビで放送されたコンテンツであることが示されている。さらに、チャンネルの下には、録画時間を含む録画日時として「2006/4/17（月）21:00-22:09（1時間9分）」と表示されており、コンテンツが録画された日時が2006年4月17日月曜日の21時から22時9分までの1時間9分のコンテンツであることが示されている。また、チャンネルの下には、ジャンルとして「バラエティ/その他」と表示されており、ジャンルが「バラエティ/その他」であることが示されている。さらに、ジャンルの下には、出演者として「CCC」、「DDD」、および「EEE」が表示されており、出演者が「CCC」、「DDD」、および「EEE」であることが示されている。
【０１２０】
ステップS93において、番組タイトルが選択されなかった場合、ステップS94の処理はスキップされる。
【０１２１】
ステップS95において、リンク指示検出部32は、受光部33からの信号に基づいて、チャンネルの情報が選択されたか否かを判定する。例えば、関連情報表示部214が、図8で示されるように、表示されていた場合、上から2段目の「BBBテレビ」が表示されている領域が、リモートコントローラ2の操作部2bにより操作されてクリックされるなどして選択されたとき、リンク指示検出部32は、チャンネルの情報が選択されたとみなし、処理は、ステップS96に進む。
【０１２２】
ステップS96において、リンク指示検出部32は、選択された領域のチャンネルに対応する拡張コンテンツメタデータをコンテンツ再生部29より読み出し、リンク表示制御部34に供給する。リンク表示制御部34のブラウザ制御部141は、ブラウザ31を起動させ、通信部24を制御して、ネットワーク6を介して検索エンジンサーバ7にアクセスさせ、供給されてきた拡張コンテンツメタデータのチャンネルのカテゴリに属するテキストデータ「BBBテレビ」をキーワードとして検索させ、検索結果となるHPを表示部30のウィンドウ201とは異なる図示せぬ別のウィンドウに表示させる。
【０１２３】
ステップS95において、チャンネルが選択されなかった場合、ステップS96の処理はスキップされる。
【０１２４】
ステップS97において、リンク指示検出部32は、受光部33からの信号に基づいて、出演者の情報が選択されたか否かを判定する。例えば、関連情報表示部214が、図8で示されるように、表示されていた場合、上から最下段の「CCC」、「DDD」、および「EEE」のうち、「DDD」が表示されている領域が、リモートコントローラ2の操作部2bにより操作されてクリックされるなどして選択されたとき、リンク指示検出部32は、チャンネルの情報が選択されたとみなし、処理は、ステップS98に進む。
【０１２５】
ステップS98において、リンク指示検出部32は、選択された領域の出演者に対応する拡張コンテンツメタデータをコンテンツ再生部29より読み出し、リンク表示制御部34に供給する。リンク表示制御部34のブラウザ制御部141は、ブラウザ31を起動させ、通信部24を制御して、ネットワーク6を介して検索エンジンサーバ7にアクセスさせ、供給されてきた拡張コンテンツメタデータのチャンネルのカテゴリに属するテキストデータ「DDD」をキーワードとして検索させ、検索結果となるHPを表示部30のウィンドウ201とは異なる図示せぬ別のウィンドウに表示させる。
【０１２６】
ステップS97において、チャンネルが選択されなかった場合、ステップS98の処理はスキップされる。
【０１２７】
一方、ステップS92において、今現在再生されているコンテンツがCMコンテンツであった場合、処理は、ステップS99に進む。
【０１２８】
ステップS99において、リンク指示検出部32は、受光部33からの信号に基づいて、商品名の情報が選択されたか否かを判定する。例えば、関連情報表示部214が、図9で示されるように、表示されていた場合、最上段の「ライフガード」が表示されている領域が、リモートコントローラ2の操作部2bにより操作されてクリックされるなどして選択されたとき、リンク指示検出部32は、商品名の情報が選択されたとみなし、処理は、ステップS100に進む。
【０１２９】
ステップS100において、リンク指示検出部32は、選択された領域の商品名に対応する拡張コンテンツメタデータをコンテンツ再生部29より読み出し、リンク表示制御部34に供給する。リンク表示制御部34のブラウザ制御部141は、ブラウザ31を起動させ、通信部24を制御して、ネットワーク6を介してURLに対応する図示せぬサーバにアクセスさせ、URLで指定されるHPを表示部30にウィンドウ201とは異なる図示せぬ別のウィンドウに表示させる。
【０１３０】
尚、図9においては、最上段に商品名として「ライフガード」が表示されており、商品名が「ライフガード」であることが示されている。また、商品名の下には、タイトルとして「ライフガード「財閥偏」」であることが表示されており、再生中のコンテンツは、CMコンテンツのタイトルが「ライフガード「財閥偏」」であることが示されている。さらに、タイトルの下には、BGMタイトルとして「AAAA」と表示されており、CMコンテンツのBGMが「AAAA」であることが示されている。また、BGMタイトルの下には、アーティストとして「BBBB」と表示されており、アーティストが「BBBB」であることが示されている。さらに、アーティストの下には、出演者として「CCCC」、「DDDD」、および「EEEE」が表示されており、出演者が「CCCC」、「DDDD」、および「EEEE」であることが示されている。
【０１３１】
ステップS99において、商品名が選択されなかった場合、ステップS100の処理はスキップされる。
【０１３２】
ステップS101において、リンク指示検出部32は、受光部33からの信号に基づいて、広告主の情報が選択されたか否かを判定する。例えば、関連情報表示部214が、図9で示されるように、表示されていた場合、3段目の「ライフガード」が表示されている領域が、リモートコントローラ2の操作部2bにより操作されてクリックされるなどして選択された場合、リンク指示検出部32は、広告主の情報が選択されたとみなし、処理は、ステップS102に進む。
【０１３３】
ステップS102において、リンク指示検出部32は、選択された領域の広告主に対応する拡張コンテンツメタデータをコンテンツ再生部29より読み出し、リンク表示制御部34に供給する。リンク表示制御部34のブラウザ制御部141は、ブラウザ31を起動させ、通信部24を制御して、ネットワーク6を介してURLに対応する図示せぬサーバにアクセスさせ、URLで指定されるHPを表示部30にウィンドウ201とは異なる図示せぬ別のウィンドウに表示させるか、または、ブラウザ31を起動させ、通信部24を制御して、ネットワーク6を介して検索エンジンサーバ7にアクセスさせ、供給されてきた拡張コンテンツメタデータの番組タイトルのカテゴリに属するテキストデータ「ライフガード」をキーワードとして検索させ、検索結果となるHPを表示部30のウィンドウ201とは異なる図示せぬ別のウィンドウに表示させる。
【０１３４】
すなわち、ステップS102の処理は、コンテンツメタデータにおける商品名のカテゴリで指定されるURLと広告主で指定されるURLとが一致したか否かにより、上述したステップS72またはS80の処理にいずれかで設定された処理が実行されることになる。
【０１３５】
ステップS101において、広告主が選択されなかった場合、ステップS102の処理はスキップされる。
【０１３６】
ステップS103において、リンク指示検出部32は、受光部33からの信号に基づいて、BGMタイトルの情報が選択されたか否かを判定する。例えば、関連情報表示部214が、図9で示されるように、表示されていた場合、４段目の「AAAA」が表示されている領域が、リモートコントローラ2の操作部2bにより操作されてクリックされるなどして選択された場合、リンク指示検出部32は、BGMタイトルの情報が選択されたとみなし、処理は、ステップS104に進む。
【０１３７】
ステップS104において、リンク指示検出部32は、選択された領域のBGMタイトルに対応する拡張コンテンツメタデータをコンテンツ再生部29より読み出し、リンク表示制御部34に供給する。リンク表示制御部34のブラウザ制御部141は、ブラウザ31を起動させ、通信部24を制御して、ネットワーク6を介して検索エンジンサーバ7にアクセスさせ、供給されてきた拡張コンテンツメタデータの番組タイトルのカテゴリに属するテキストデータ「AAAA」をキーワードとして検索させ、検索結果となるHPを表示部30のウィンドウ201とは異なる図示せぬ別のウィンドウに表示させる。
【０１３８】
ステップS103において、BGMタイトルが選択されなかった場合、ステップS104の処理はスキップされる。
【０１３９】
ステップS105において、リンク指示検出部32は、受光部33からの信号に基づいて、アーティストの情報が選択されたか否かを判定する。例えば、関連情報表示部214が、図9で示されるように、表示されていた場合、5段目の「BBBB」が表示されている領域が、リモートコントローラ2の操作部2bにより操作されてクリックされるなどして選択された場合、リンク指示検出部32は、アーティストの情報が選択されたとみなし、処理は、ステップS106に進む。
【０１４０】
ステップS106において、リンク指示検出部32は、選択された領域のアーティストに対応する拡張コンテンツメタデータをコンテンツ再生部29より読み出し、リンク表示制御部34に供給する。リンク表示制御部34の選択表示制御部142は、例えば、図10で示されるような選択画面を表示する。図10では、選択画面261が表示されており、上から「選択されたアーティストについて」と表示され、次の段に「物販のHPを表示する」、更に下の段に「アーティスト名をキーワードとした検索結果のHPを表示する」と表示されており、それぞれの選択肢の左部には選択する際使用されるチェックボタン262-1,262-2が設けられている。
【０１４１】
ステップS107において、リンク指示検出部32は、受光部33からの信号に基づいて、「物販のHPを表示する」または「アーティスト名をキーワードとした検索結果のHPを表示する」のうち、「物販のHPを表示する」が選択されたか否かを判定する。例えば、チェックボックス262-1がチェックされて、決定ボタン263が操作された場合、「物販のHPを表示する」が選択されたとみなし、ステップS108において、リンク指示検出部32は、選択結果をリンク表示制御部34に供給する。リンク表示制御部34のブラウザ制御部141は、ブラウザ31を起動させ、通信部24を制御して、ネットワーク6を介して所定の物販サイトのHPを表示部30にウィンドウ201とは異なる図示せぬ別のウィンドウに表示させる。
【０１４２】
一方、ステップS107において、チェックボックス262-2がチェックされて、決定ボタン263が操作された場合、「アーティスト名をキーワードとした検索結果のHPを表示する」が選択されたとみなし、ステップS109において、リンク指示検出部32は、選択結果をリンク表示制御部34に供給する。リンク表示制御部34のブラウザ制御部141は、ブラウザ31を起動させ、通信部24を制御して、ネットワーク6を介して検索エンジンサーバ7にアクセスさせ、供給されてきた拡張コンテンツメタデータのアーティスト名のカテゴリに属するテキストデータ「BBBB」をキーワードとして検索させ、検索結果となるHPを表示部30のウィンドウ201とは異なる図示せぬ別のウィンドウに表示させる。
【０１４３】
ステップS105において、BGMタイトルが選択されなかった場合、ステップS106乃至S109の処理はスキップされる。
【０１４４】
ステップS110において、リンク指示検出部32は、受光部33からの信号に基づいて、出演者の情報が選択されたか否かを判定する。例えば、関連情報表示部214が、図9で示されるように、表示されていた場合、最下段の「CCCC」、「DDDD」、および「EEEE」のうちのいずれか１つ、例えば、「EEEE」が表示されている領域が、リモートコントローラ2の操作部2bにより操作されてクリックされるなどして選択された場合、リンク指示検出部32は、アーティストの情報が選択されたとみなし、処理は、ステップS111に進む。
【０１４５】
ステップS111において、リンク指示検出部32は、選択された領域の出演者に対応する拡張コンテンツメタデータをコンテンツ再生部29より読み出し、リンク表示制御部34に供給する。リンク表示制御部34は、図11で示されるように、選択された出演者の名前である「EEEE」が予め入力されている検索キーワードの入力画面281を表示すると供に、キーワードの入力が完了し、検索ボタン292が操作されると、ブラウザ制御部141は、ブラウザ31を起動させ、通信部24を制御して、ネットワーク6を介して検索エンジンサーバ7にアクセスさせ、入力画面281で入力されたテキストデータ「EEEE」をキーワードとして検索させ、検索結果となるHPを表示部30のウィンドウ201とは異なる図示せぬ別のウィンドウに表示させる。
【０１４６】
なお、所望の検索エンジンサーバにアクセスさせ、所望のキーワードで検索させるために、検索エンジンサーバ７で規定されている命令や関数の集合であるAPI（Application Program Interface）を使用することで、容易に実現することが出来る。
【０１４７】
以上の処理により、コンテンツメタデータのテキストデータが単純に表示されるだけでなく、コンテンツメタデータのテキストにより検索エンジンで検索した検索結果を表示させることができるので、検索される情報に拡張させることが可能となる。
【０１４８】
また、コンテンツメタデータのカテゴリ毎に、表示される情報を変化させることが可能となるので、例えば、URLが予め設定されているものについては、そのURLを表示させ、アーティストなどについては、CDやDVDの物販サイトを表示させるようにすることで、比較的要求される可能性の高い情報を迅速に提供することが可能となる。同様にBGMタイトルや商品名など他のカテゴリについても、物販サイトなどカテゴリに最適なサイトを表示させるようにしても良い。
【０１４９】
さらに、同一のキーワードであっても、カテゴリにより、例えば、物販のサイトを表示させるのか、または、単に検索させるのかといった選択画面を予め設定することにより、選択させるだけで、迅速に多様な情報を切り替えて提供することが可能となる。
【０１５０】
また、キーワード検索についても、例えば、図11で示されるように、キーワード入力画面の状態で提示することにより、ユーザが本当に検索したい情報を入力できるようにすることで、要求に対して的確な情報の提供することが可能になると供に、予めキーワードが入力された状態で表示されるので、関連する情報を入力する際に、必要最小限の入力で済ませることが可能となるため、手間を省いて迅速に、必要とされる情報を提供することが可能となる。
【０１５１】
さらに、カテゴリ毎に最適なサイトにおいてキーワード検索を行わせるために、カテゴリ毎に異なった検索エンジンサーバにアクセスさせ、入力画面281で入力されたテキストデータをキーワードとして検索させても良い。
【０１５２】
なお、所望の検索エンジンサーバにアクセスさせ、キーワードで検索させることは、検索エンジンサーバ毎に規定されている命令や関数の集合であるAPI（Application Program Interface）を使用することで容易に実現することが出来る。
【０１５３】
ところで、上述した一連の画像処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１５４】
図12は、汎用のパーソナルコンピュータの構成例を示している。このパーソナルコンピュータは、CPU(Central Processing Unit)1001を内蔵している。CPU1001にはバス1004を介して、入出力インタフェース1005が接続されている。バス1004には、ROM(Read Only Memory)1002およびRAM(Random Access Memory)1003が接続されている。
【０１５５】
入出力インタフェース1005には、ユーザが操作コマンドを入力するキーボード、マウスなどの入力デバイスよりなる入力部1006、処理操作画面や処理結果の画像を表示デバイスに出力する出力部1007、プログラムや各種データを格納するハードディスクドライブなどよりなる記憶部1008、LAN（Local Area Network）アダプタなどよりなり、インターネットに代表されるネットワークを介した通信処理を実行する通信部1009が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア1011に対してデータを読み書きするドライブ1010が接続されている。
【０１５６】
CPU1001は、ROM1002に記憶されているプログラム、または磁気ディスク、光ディスク、光磁気ディスク、もしくは半導体メモリ等のリムーバブルメディア1011から読み出されて記憶部1008にインストールされ、記憶部1008からRAM1003にロードされたプログラムに従って各種の処理を実行する。RAM1003にはまた、CPU1001が各種の処理を実行する上において必要なデータなども適宜記憶される。
【０１５７】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【図面の簡単な説明】
【０１５８】
【図１】本発明を適用した画像表示装置の一実施の形態の構成例を示すブロック図である。
【図２】コンテンツ録画処理を説明するフローチャートである。
【図３】コンテンツメタデータ蓄積処理を説明するフローチャートである。
【図４】コンテンツ再生処理を説明するフローチャートである。
【図５】コンテンツ再生処理により表示されるウィンドウの例を説明する図である。
【図６】コンテンツメタデータ編集処理を説明するフローチャートである。
【図７】リンク表示処理を説明するフローチャートである。
【図８】関連情報表示部の表示例を説明する図である。
【図９】関連情報表示部の表示例を説明する図である。
【図１０】選択画面の例を説明するフローチャートである。
【図１１】キーワード入力画面の例を説明する図である。
【図１２】パーソナルコンピュータの構成例を説明する図である。
【符号の説明】
【０１５９】
1  画像表示装置，  2  リモートコントローラ，  3  EPGデータ配信サーバ，  5  番組配信サーバ，  7  検索エンジンサーバ，  21  EPG取得部，  22  コンテンツメタデータ蓄積部，  23  コンテンツ録画部，  26  コンテンツデータ記憶部，  27  コンテンツメタデータ拡張編集部，  28  拡張コンテンツメタデータ蓄積部，  29  コンテンツ再生部，  30  表示部，  31  ブラウザ，  32  リンク指示検出部，  34  リンク表示制御部
【図１】
2008167363.tif 000003
【図２】
2008167363.tif 000004
【図３】
2008167363.tif 000005
【図４】
2008167363.tif 000006
【図５】
2008167363.tif 000007
【図６】
2008167363.tif 000008
【図７】
2008167363.tif 000009
【図８】
2008167363.tif 000010
【図９】
2008167363.tif 000011
【図１０】
2008167363.tif 000012
【図１１】
2008167363.tif 000013
【図１２】
2008167363.tif 000014